【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
無線マルチキャリヤ通信システムにおいてダウンリンクでパイロットを伝送する方法であって、
第１のサブバンド集合で伝送するためのパイロット記号を生成することであって、前記第１のサブバンド集合は、第１の伝送エンティティがパイロット伝送のために使用し、さらに第２の伝送エンティティがパイロット伝送のために使用する第２のサブバンド集合と互いに素であり、前記第１の集合内の隣接する各対のサブバンドは、前記システム内の無線チャネルのコヒーレンス帯域幅よりも小さいか又は前記コヒーレンス帯域幅と等しい周波数スパンを包含することと、
前記第１のサブバンド集合に含まれている前記パイロット記号を有するパイロット信号を得るために前記パイロット記号を処理することと、
前記第１の伝送エンティティから前記パイロット信号を伝送すること、とを具備する方法。
【請求項２】
直交符号を用いて前記パイロット記号を処理して被覆したパイロット記号を得ることをさらに具備し、前記被覆したパイロット記号をさらに処理して前記パイロット信号を得る、請求項１に記載の方法。
【請求項３】
スクランブルコードを用いて前記パイロット記号を処理してスクランブリングしたパイロット記号を得ることをさらに具備し、前記スクランブリングしたパイロット記号をさらに処理して前記パイロット信号を得る、請求項１に記載の方法。
【請求項４】
前記第１の集合内のサブバンドは、前記第１の伝送エンティティによるパイロット伝送及びデータ伝送のために使用可能な複数のサブバンド全体にわたって均一に分布している、請求項１に記載の方法。
【請求項５】
前記第１の伝送エンティティ及び前記第２の伝送エンティティからパイロット信号をバースト伝送する、請求項１に記載の方法。
【請求項６】
前記第１の伝送エンティティ及び前記第２の伝送エンティティから同期タイミングでパイロット信号を伝送する、請求項１に記載の方法。
【請求項７】
前記マルチキャリヤ通信システムは、直交周波数分割多重（ＯＦＤＭ）方式を実装する、請求項１に記載の方法。
【請求項８】
無線マルチキャリヤ通信システムにおける装置であって、
第１のサブバンド集合で伝送するためのパイロット記号を生成するための手段であって、前記第１のサブバンド集合は、第１の伝送エンティティがパイロット伝送のために使用し、さらに第２の伝送エンティティがパイロット伝送のために使用する第２のサブバンド集合と互いに素であり、前記第１の集合内の隣接する各対のサブバンドは、前記システム内の無線チャネルのコヒーレンス帯域幅よりも小さいか又は前記コヒーレンス帯域幅と等しい周波数スパンを包含する手段と、
前記第１のサブバンド集合に含まれている前記パイロット記号を有するパイロット信号を得るために前記パイロット記号を処理するための手段と、
前記パイロット信号を前記第１の伝送エンティティから伝送するための手段と、を具備する装置。
【請求項９】
直交符号を用いて前記パイロット記号を処理して被覆したパイロット記号を得るための手段をさらに具備し、前記被覆したパイロット記号をさらに処理して前記パイロット信号を得る、請求項８に記載の装置。
【請求項１０】
スクランブルコードを用いて前記パイロット記号を処理してスクランブリングしたパイロット記号を得るための手段をさらに具備し、前記スクランブリングしたパイロット記号をさらに処理して前記パイロット信号を得る、請求項８に記載の装置。
【請求項１１】
無線マルチキャリヤ通信システムにおける基地局であって、
第１のサブバンド集合で伝送するように指定されたパイロット記号を受信して処理する機能を有する少なくとも１つのパイロットプロセッサと、
前記第１のサブバンド集合に含まれている前記被覆したパイロット記号を有する時間領域サンプルを導き出す機能を有する変換装置と、
ダウンリンクにおいて伝送するためのパイロット信号を得るために前記時間領域サンプルを処理する機能を有する伝送装置と、を具備し、前記第１のサブバンド集合は、前記基地局がパイロット伝送のために使用し、さらに前記システム内の別の基地局がパイロット伝送のために使用する第２のサブバンド集合と互いに素であり、前記第１の集合内の隣接する各対のサブバンドは、前記システム内の無線チャネルのコヒーレンス帯域幅よりも小さいか又は前記コヒーレンス帯域幅と等しい周波数スパンを包含する、基地局。
【請求項１２】
無線マルチキャリヤ通信システムにおいてダウンリンクでパイロットを伝送するための、コンピュータによって読取可能な媒体であって、プロセッサによって実行されたときに、
第２の伝送エンティティがパイロット伝送のために使用する第２のサブバンド集合と互いに素である第１のサブバンド集合で第１の伝送エンティティから伝送するためのパイロット記号を生成するステップであって、前記第１の集合内の隣接する各対のサブバンドは、前記システム内の無線チャネルのコヒーレンス帯域幅よりも小さいか又は前記コヒーレンス帯域幅と等しい周波数スパンを包含するステップと、
前記第１のサブバンド集合に含まれている前記パイロット記号を有する時間領域サンプルを得るために前記パイロット記号を処理するステップと、を前記プロセッサに実行させる命令を具備する、コンピュータによって読取可能な媒体。
【請求項１３】
無線マルチキャリヤ通信システムにおいてダウンリンクで受信したパイロットを処理する方法であって、
第１の伝送エンティティから第１のサブバンド集合で第１のパイロット信号を受信することであって、前記第１のサブバンド集合は、前記第１の伝送エンティティがパイロット伝送のために使用し、さらに第２の伝送エンティティがパイロット伝送のために使用する第２のサブバンド集合と互いに素であり、前記第１の集合内の隣接する各対のサブバンドは、前記システム内の無線チャネルのコヒーレンス帯域幅よりも小さいか又は前記コヒーレンス帯域幅と等しい周波数スパンを包含することと、
前記第１の集合内のサブバンドの各々に関するパイロット推定値を得るために前記第１のパイロット信号を処理すること、とを具備する方法。
【請求項１４】
前記サブバンドに関する前記パイロット推定値に基づいて前記第１の集合内のサブバンドの各々に関するチャネル推定値を導き出すことをさらに具備する、請求項１３に記載の方法。
【請求項１５】
前記第１の集合内のサブバンドに関するチャネル推定値に基づいて前記第１の集合に含まれていない少なくとも１つのサブバンドに関するチャネル推定値を導き出すことをさらに具備する、請求項１４に記載の方法。
【請求項１６】
前記第１のサブバンド集合に関するパイロット推定値に基づいて前記第１のパイロット信号に関する信号強度推定値を導き出すことをさらに具備する、請求項１３に記載の方法。
【請求項１７】
前記第２の伝送エンティティから前記第２のサブバンド集合で伝送された第２のパイロット信号を受信することと、
前記第２の集合内のサブバンドの各々に関するパイロット推定値を得るために前記第２のパイロット信号を処理すること、とをさらに具備する、請求項１３に記載の方法。
【請求項１８】
前記サブバンドに関する前記パイロット推定値に基づいて前記第２の集合内のサブバンドの各々に関するチャネル推定値を導き出すことをさらに具備する、請求項１７に記載の方法。
【請求項１９】
無線マルチキャリヤ通信システムにおける装置であって、
第１の伝送エンティティから第１のサブバンド集合で第１のパイロット信号を受信するための手段であって、前記第１のサブバンド集合は、前記第１の伝送エンティティがパイロット伝送のために使用し、さらに第２の伝送エンティティがパイロット伝送のために使用する第２のサブバンド集合と互いに素であり、前記第１の集合内の隣接する各対のサブバンドは、前記システム内の無線チャネルのコヒーレンス帯域幅よりも小さいか又は前記コヒーレンス帯域幅と等しい周波数スパンを包含する手段と、
前記第１の集合内のサブバンドの各々に関するパイロット推定値を得るために前記第１のパイロット信号を処理するための手段と、を具備する装置。
【請求項２０】
前記サブバンドに関する前記パイロット推定値に基づいて前記第１の集合内のサブバンドの各々に関するチャネル推定値を導き出すための手段をさらに具備する、請求項１９に記載の装置。
【請求項２１】
前記第２の伝送エンティティから前記第２のサブバンド集合で伝送された第２のパイロット信号を受信するための手段と、
前記第２の集合内のサブバンドの各々に関するパイロット推定値を得るために前記第２のパイロット信号を処理するための手段と、をさらに具備する、請求項１９に記載の装置。
【請求項２２】
無線マルチキャリヤ通信システムにおける端末であって、
第１のサブバンド集合で受信したパイロット信号を処理する機能を有する受信装置であって、前記第１のサブバンド集合は、第１の伝送エンティティがパイロット伝送のために使用し、さらに第２の伝送エンティティがパイロット伝送のために使用する第２のサブバンド集合と互いに素であり、前記第１の集合内の隣接する各対のサブバンドは、前記システム内の無線チャネルのコヒーレンス帯域幅よりも小さいか又は前記コヒーレンス帯域幅と等しい周波数スパンを包含する受信装置と、
前記第１の集合内のサブバンドの各々に関するパイロット推定値を得るために前記パイロット信号を処理する機能を有する少なくとも１つのパイロットプロセッサと、を具備する端末。
【請求項２３】
無線マルチキャリヤ通信システムにおいてダウンリンクで受信したパイロットを処理するための、コンピュータによって読取可能な媒体であって、プロセッサによって実行されたときに、
第１の伝送エンティティが第１のサブバンド集合で伝送した第１のパイロット信号を受信するステップであって、前記第１のサブバンド集合は、前記第１の伝送エンティティがパイロット伝送のために使用し、さらに第２の伝送エンティティがパイロット伝送のために使用する第２のサブバンド集合と互いに素であり、前記第１の集合内の隣接する各対のサブバンドは、前記システム内の無線チャネルのコヒーレンス帯域幅よりも小さいか又は前記コヒーレンス帯域幅と等しい周波数スパンを包含するステップと、
前記第１の集合内のサブバンドの各々に関するパイロット推定値を得るために前記第１のパイロット信号を処理するステップと、を前記プロセッサに実行させる命令を具備する、コンピュータによって読取可能な媒体。
【請求項２４】
無線マルチキャリヤ通信システムにおいてパイロットを伝送する方法であって、
第１の伝送エンティティがパイロット伝送のために使用する第１のサブバンド集合で伝送するためのパイロット記号を生成することと、
第１の符号を用いて前記パイロット記号を処理して被覆したパイロット記号を得ることであって、前記第１の符号は、第２の伝送エンティティがパイロット伝送のために使用する第２の符号と直交することと、
前記第１のサブバンド集合に含まれている前記パイロット記号を有するパイロット信号を得るために前記被覆したパイロット記号を処理することと、
スクランブルコードを用いて前記被覆したパイロット記号を処理してスクランブリングしたパイロット記号を得ることであって、前記パイロット信号を得るために前記スクランブリングしたパイロット記号をさらに処理し、前記第１の符号はチップを含み、前記スクランブルコードの各チップはパイロット記号に適用することと、
前記第１の伝送エンティティから前記パイロット信号を伝送すること、とを具備する方法。
【請求項２５】
前記第１の符号は、ウォルシュ符号である、請求項２４に記載の方法。
【請求項２６】
前記第１の符号は、前記第１の集合内のサブバンドの各々に対して適用する、請求項２４に記載の方法。
【請求項２７】
前記スクランブルコードは、疑似乱数（ＰＮ）符号である、請求項２４に記載の方法。
【請求項２８】
前記スクランブルコードを複数のスクランブルコードセグメントに分割し（前記第１の集合内のサブバンドの各々に関して１つのスクランブルコードセグメント）、前記第１の集合内のサブバンドの各々に関するパイロット記号に、前記サブバンドに関する前記スクランブルコードセグメントを乗じる、請求項２４に記載の方法。
【請求項２９】
前記スクランブルコードの各チップは、１個のパイロット記号に対して適用する、請求項２４に記載の方法。
【請求項３０】
前記第１の集合内のサブバンドは、前記第１の伝送エンティティによるパイロット伝送及びデータ伝送のために使用可能な複数のサブバンド全体にわたって均一に分布している、請求項２４に記載の方法。
【請求項３１】
前記第１の集合内の隣接する各対のサブバンドは、前記システム内の無線チャネルのコヒーレンス帯域幅よりも小さいか又は前記コヒーレンス帯域幅と等しい周波数スパンを包含する、請求項２４に記載の方法。
【請求項３２】
前記第１の伝送エンティティから伝送された前記パイロット記号は、前記第２の伝送エンティティから伝送されたパイロット記号とは異なる、請求項２４に記載の方法。
【請求項３３】
前記第１のサブバンド集合は、第３の伝送エンティティがパイロット伝送のために使用する第２のサブバンド集合と互いに素である、請求項２４に記載の方法。
【請求項３４】
前記第１及び第２の伝送エンティティからパイロット信号をバースト伝送する、請求項３３に記載の方法。
【請求項３５】
前記第１及び第２の伝送エンティティから連続的にパイロット信号を伝送する、請求項３３に記載の方法。
【請求項３６】
前記第１及び第２の伝送エンティティから同期タイミングでパイロット信号を伝送する、請求項２４に記載の方法。
【請求項３７】
前記第１及び第２の伝送エンティティから非同期タイミングでパイロット信号を伝送する、請求項２４に記載の方法。
【請求項３８】
前記マルチキャリヤ通信システムは、直交周波数分割多重（ＯＦＤＭ）方式を実装する、請求項２４に記載の方法。
【請求項３９】
無線マルチキャリヤ通信システムにおける装置であって、
第１の伝送エンティティがパイロット伝送のために使用するサブバンド集合で伝送するためのパイロット記号を生成するための手段と、
第１の符号を用いて前記パイロット記号を処理して被覆したパイロット記号を得るための手段であって、前記第１の符号は、第２の伝送エンティティがパイロット伝送のために使用する第２の符号と直交する手段と、
前記サブバンド集合に含まれている前記パイロット記号を有するパイロット信号を得るために前記被覆したパイロット記号を処理するための手段と、
スクランブルコードを用いて前記被覆したパイロット記号を処理してスクランブリングしたパイロット記号を得るための手段であって、前記パイロット信号を得るために前記スクランブリングしたパイロット記号をさらに処理し、前記第１の符号はチップを含み、前記スクランブルコードの各チップはパイロット記号に適用する手段と、
前記パイロット信号を前記第１の伝送エンティティから伝送するための手段と、を具備する装置。
【請求項４０】
スクランブルコードを用いて前記パイロット記号を処理して前記スクランブリングしたパイロット記号を得るための手段をさらに具備し、スクランブリングしたパイロット記号を処理して前記パイロット信号を得る、請求項３９に記載の装置。
【請求項４１】
無線マルチキャリヤ通信システムにおける基地局であって、
パイロット記号を受信して第１の符号を用いて処理して被覆したパイロット記号を得る機能を有する少なくとも１つのパイロットプロセッサと、
前記サブバンド集合に含まれている前記被覆したパイロット記号を有する時間領域サンプルを導き出す機能を有する変換装置と、
無線リンクを通じて伝送するためのパイロット信号を得るために前記時間領域サンプルを処理する機能を有する伝送装置と、を具備し、前記パイロット記号は、前記基地局がパイロット伝送のために使用するサブバンド集合で伝送するように指定されており、前記第１の符号は、前記システム内の別の基地局がパイロット伝送のために使用する第２の符号と直交し、スクランブルコードを用いて前記被覆したパイロット記号を処理してスクランブリングしたパイロット記号を得て、前記パイロット信号を得るために前記スクランブリングしたパイロット記号をさらに処理し、前記第１の符号はチップを含み、前記スクランブルコードの各チップはパイロット記号に適用する、基地局。
【請求項４２】
無線マルチキャリヤ通信システムにおいてパイロットを伝送するための、コンピュータによって読取可能な媒体であって、プロセッサによって実行されたときに、
第１の伝送エンティティがパイロット伝送のために使用する第１のサブバンド集合で伝送するためのパイロット記号を生成するステップと、
第１の符号を用いて前記パイロット記号を処理して被覆したパイロット記号を得るステップであって、前記第１の符号は、第２の伝送エンティティがパイロット伝送のために使用する第２の符号と直交するステップと、
スクランブルコードを用いて前記被覆したパイロット記号を処理してスクランブリングしたパイロット記号を得るステップであって、前記パイロット信号を得るために前記スクランブリングしたパイロット記号をさらに処理し、前記第１の符号はチップを含み、前記スクランブルコードの各チップはパイロット記号に適用するステップと、を前記プロセッサに実行させる命令を具備する、コンピュータによって読取可能な媒体。
【請求項４３】
無線マルチキャリヤ通信システムにおいて無線リンクを通じて受信したパイロットを処理する方法であって、
第１の伝送エンティティがパイロット伝送のために使用する第１のサブバンド集合で第１のパイロット記号を受信することと、
第１の符号を用いて前記第１のパイロット記号を処理して前記第１の伝送エンティティに関する被覆を除去したパイロット記号を得ることであって、前記第１の符号は、前記第１の伝送エンティティがパイロット伝送のために使用し、さらに第２の伝送エンティティがパイロット伝送のために使用する第２の符号と直交することと、
前記第１の集合内のサブバンドの各々に関するパイロット推定値を得るために前記第１の伝送エンティティに関する前記被覆を除去した記号を処理すること、とを具備する方法。
【請求項４４】
前記サブバンドに関する前記パイロット推定値に基づいて前記第１の集合内のサブバンドの各々に関するチャネル推定値を導き出すことをさらに具備する、請求項４３に記載の方法。
【請求項４５】
前記第１の集合内のサブバンドに関するチャネル推定値に基づいて前記第１の集合に含まれていない少なくとも１つのサブバンドに関するチャネル推定値を導き出すことをさらに具備する、請求項４４に記載の方法。
【請求項４６】
前記第１の集合内のサブバンドに関するパイロット推定値に基づいて前記第１のパイロット信号に関する信号強度推定値を導き出すことをさらに具備する、請求項４３に記載の方法。
【請求項４７】
前記第１の伝送エンティティに関するデスクランブルコードを用いて前記第１の伝送エンティティに関する被覆を除去した記号を処理することをさらに具備する、請求項４３に記載の方法。
【請求項４８】
前記第２の伝送エンティティがパイロット伝送のために使用した第２のサブバンド集合で第２のパイロット信号を受信することと、
前記第２の符号を用いて前記第２のパイロット信号を処理して前記第２の伝送エンティティに関する被覆を除去した記号を得ることと、
前記第２の集合内のサブバンドの各々に関するパイロット推定値を得るために前記第２の伝送エンティティに関する被覆を除去した記号を処理すること、とをさらに具備する、請求項４３に記載の方法。
【請求項４９】
無線マルチキャリヤ通信システムにおける装置であって、
第１の伝送エンティティがパイロット伝送のために使用したサブバンド集合でパイロット信号を受信するための手段と、
第１の符号を用いて前記パイロット信号を処理して被覆を除去した記号を得るための手段であって、前記第１の符号は、前記第１の伝送エンティティがパイロット伝送のために使用し、さらに第２の伝送エンティティがパイロット伝送のために使用する第２の符号と直交する手段と、
前記集合内のサブバンドの各々に関するパイロット推定値を得るために前記被覆を除去した記号を処理するための手段と、を具備する装置。
【請求項５０】
無線マルチキャリヤ通信システムにおける端末であって、
第１の伝送エンティティがパイロット伝送のために使用したサブバンド集合で受信したパイロット信号を処理する機能を有する受信装置と、
第１の符号を用いて前記パイロット信号を処理して被覆を除去した記号を得る機能及び前記被覆を除去した記号を処理して前記集合内のサブバンドの各々に関するパイロット推定値を得る機能を有する少なくとも１つのパイロットプロセッサと、を具備し、前記第１の符号は、前記第１の伝送エンティティがパイロット伝送のために使用し、さらに第２の伝送エンティティがパイロット伝送のために使用する第２の符号と直交する端末。
【請求項５１】
無線マルチキャリヤ通信システムにおいて無線リンクを通じて受信したパイロットを処理するための、コンピュータによって読取可能な媒体であって、プロセッサによって実行されたときに、
第１の伝送エンティティがパイロット伝送のために使用した第１のサブバンド集合で第１のパイロット信号を受信するステップと、
第１の符号を用いて前記第１のパイロット信号を処理して前記第１の伝送エンティティに関する被覆を除去した記号を得るステップであって、前記第１の符号は、前記第１の伝送エンティティがパイロット伝送のために使用し、さらに第２の伝送エンティティがパイロット伝送のために使用する第２の符号と直交するステップと、
前記第１の集合内のサブバンドの各々に関するパイロット推定値を得るために前記第１の伝送エンティティに関する前記被覆を除去した記号を処理するステップと、を前記プロセッサに実行させる命令を具備する、コンピュータによって読取可能な媒体。
【請求項５２】
無線マルチキャリヤ通信システムにおいて受信装置でパイロット干渉を除去する方法であって、
複数のサブバンドに関する受信記号を得ることであって、前記受信記号は、第１の伝送エンティティから受信した希望する記号及び第２の伝送エンティティから受信したパイロット記号を含むことと、
前記受信記号に基づいて前記第２の伝送エンティティに関するパイロット記号推定値を導き出すことであって、前記パイロット記号推定値は、前記第２の伝送エンティティから前記複数のサブバンドで受信したパイロット記号の推定値であることと、
前記第２の伝送エンティティに関する前記パイロット記号推定値を前記受信記号から減じてパイロットが除去された記号を得ること、とを具備する方法。
【請求項５３】
前記導き出すこと及び減じることは、前記複数のサブバンドの各々に関して別々に行う、請求項５２に記載の方法。
【請求項５４】
前記導き出すことは、前記第２の伝送エンティティに関するチャネル推定値を得ることを含み、前記パイロット記号推定値は、前記チャネル推定値を用いて導き出す、請求項５２に記載の方法。
【請求項５５】
前記第１の伝送エンティティに関する前記希望する記号は、パイロット記号である、請求項５２に記載の方法。
【請求項５６】
前記第１の伝送エンティティに関する前記希望する記号は、データ記号である、請求項５２に記載の方法。
【請求項５７】
前記導き出すことは、前記複数のサブバンドの各々に関するパイロット記号に直交符号を乗じて前記サブバンドに関する被覆したパイロット記号を得ることであって、前記直交符号は、前記第２の伝送エンティティがパイロット伝送のために使用することと、
前記複数のサブバンドの各々に関する前記被覆したパイロット記号に前記サブバンドに関するチャネル推定値を乗じて前記サブバンドに関するパイロット記号推定値を得ること、とを含む、請求項５２に記載の方法。
【請求項５８】
前記導き出すことは、前記複数のサブバンドの各々に関する前記パイロット記号にスクランブルコードからのチップを乗じて前記サブバンドに関するスクランブリングしたパイロット記号を得ることをさらに含み、前記スクランブリングしたパイロット記号は、前記直交符号を乗じて前記被覆したパイロット記号を得る、請求項５７に記載の方法。
【請求項５９】
前記受信記号は、第３の伝送エンティティから受信したパイロット記号をさらに含む方法であって、
前記受信記号に基づいて前記第３の伝送エンティティに関するパイロット記号推定値を導き出すことと、
前記第３の伝送エンティティに関する前記パイロット記号推定値を前記受信記号から減じて前記パイロットが除去された記号を得ること、とをさらに具備する、請求項５２に記載の方法。
【請求項６０】
無線マルチキャリヤ通信システムにおける装置であって、
複数のサブバンドに関する受信記号を得るための手段であって、前記受信記号は、第１の伝送エンティティから受信した希望する記号及び第２の伝送エンティティから受信したパイロット記号を含む手段と、
前記受信記号に基づいて前記第２の伝送エンティティに関するパイロット記号推定値を導き出すための手段であって、前記パイロット推定値は、前記第２の伝送エンティティから前記複数のサブバンドで受信したパイロット記号の推定値である手段と、
前記第２の伝送エンティティに関する前記パイロット記号推定値を前記受信記号から減じてパイロットが除去された記号を得るための手段と、を具備する装置。
【請求項６１】
無線マルチキャリヤ通信システムにおける端末であって、
複数のサブバンドに関する受信記号を処理して前記複数のサブバンドに関するパイロット記号推定値を得る機能を有する少なくとも１つのパイロット干渉推定器と、
前記パイロット記号推定値を前記受信記号から減じてパイロットが除去された記号を得る機能を有する加算器と、を具備し、前記受信記号は、第１の伝送エンティティから受信した希望する記号及び第２の伝送エンティティから受信したパイロット記号を含み、前記パイロット記号推定値は、前記第２の伝送エンティティから前記複数のサブバンドで受信したパイロット記号の推定値である、端末。